(57)【要約】【課題】生活空間の中で身近な場所に頭部保護用プロテクタを常備でき、耐衝撃機能の高い頭部保護用プロテクタを提供すること。【解決手段】本発明の頭部保護用プロテクタは、落下物から頭部を保護するシェル１０と、シェル１０を保持するとともに頭部に装着する基台２０と、基台２０に取り付ける顎紐３０とを備え、基台２０の幅寸法２３、２４よりもシェル１０の幅寸法１３、１４が大きく、シェル１０の両側端１１、１２を基台２０の両側端２１、２２に取り付けることで、シェル１０をアーチ状とすることを特徴とする。【選択図】        図１
2014163019.tif 000002
【特許請求の範囲】
【請求項１】
落下物から頭部を保護するシェルと、前記シェルを保持するとともに前記頭部に装着する基台と、前記基台に取り付ける顎紐とを備え、
前記基台の幅寸法よりも前記シェルの幅寸法が大きく、
前記シェルの両側端を前記基台の両側端に取り付けることで、前記シェルをアーチ状とすることを特徴とする頭部保護用プロテクタ。
【請求項２】
前記シェルの前端のアーチ曲率を、前記シェルの後端のアーチ曲率より小さくしたことを特徴とする請求項１に記載の頭部保護用プロテクタ。
【請求項３】
前記シェルの一方の前記側端を前記基台の一方の前記側端に回動可能に軸支し、前記シェルの他方の前記側端を前記基台の他方の前記側端に着脱可能に係止することを特徴とする請求項１又は請求項２に記載の頭部保護用プロテクタ。
【請求項４】
前記基台には頭部用開口部を形成し、前記頭部用開口部に内周側立ち上げリブを形成し、前記基台の周囲に外周側立ち上げリブを形成したことを特徴とする請求項１から請求項３のいずれかに記載の頭部保護用プロテクタ。
【請求項５】
前記基台には複数の顎紐用開口部を形成し、前記顎紐用開口部によって前記顎紐を取り付けたことを特徴とする請求項１から請求項４のいずれかに記載の頭部保護用プロテクタ。
【請求項６】
前記顎紐用開口部を、前記基台の前方両側に形成した第１顎紐用開口部及び第２顎紐用開口部と、前記基台の後方中央に形成した第３の顎紐用開口部とで構成したことを特徴とする請求項５に記載の頭部保護用プロテクタ。
【請求項７】
前記基台には複数のハンモック用開口部を形成し、前記ハンモック用開口部にハンモックを取り付けることで前記頭部用開口部に前記ハンモックを配置することを特徴とする請求項１から請求項６のいずれかに記載の頭部保護用プロテクタ。
【請求項８】
前記基台の下面に設ける弾性材と、前記基台から垂れ下がる垂れ布とを備え、前記垂れ布は前記基台の上面を覆う基台上面覆い面を有し、前記弾性材と前記基台上面覆い面とを袋状に構成し、袋状とした前記弾性材と前記基台上面覆い面との間に前記基台を配置することを特徴とする請求項１から請求項７のいずれかに記載の頭部保護用プロテクタ。
【発明の詳細な説明】
【技術分野】
【０００１】
本発明は、外出先にて災害が発生して帰宅困難となった被災者が、帰宅又は避難所までに最低限必要な装備として頭部を保護する頭部保護用プロテクタに関する。
【背景技術】
【０００２】
災害発生対策として、ヘルメットを災害用品として備えることが多くなっているが、置き場所に困る。従って、特に、会社や学校に個人用として保管しているケースは少ない。
そこで、地震や火災の防災時に用いることができる折り畳み可能なヘルメットが提案されている。
例えば、第１のタイプとして、特許文献１では、頭頂部を分割中心として、ヘルメット本体を複数の部材に分割し、組み立て可能な構成が提案されている。
第１のタイプとしては、その他の構成として、頭頂部を分割中心としたそれぞれの部材を、頭頂部に設けた軸を中心に回動可能とすることで、それぞれの部材を重ね合わせて収納する構成が提案されている（例えば特許文献２、３、４）。
また、第２のタイプとしては、頭頂部の代わりに、両側頭部の位置を回動軸として、それぞれの部材を重ね合わせて収納する構成が提案されている（例えば特許文献５、６、７）。
また、第３のタイプとしては、頭頂部を中心として水平面でヘルメット本体をいくつかの部材に分割し、これらの部材を重ね合わせることで収納する構成が提案されている（例えば特許文献８、９、１０）。
また、第４のタイプとして、前側弾性平板と後側弾性平板の２つの部材で構成し、使用時である展開状態では、この２つの部材の弾性力を利用して湾曲状態を維持し、未使用時である折り畳んだ状態では扁平状態となる構成が提案されている（特許文献１１、１２）
【先行技術文献】
【特許文献】
【０００３】
【特許文献１】特開平１１−３５０２３２号公報
【特許文献２】実開昭５１−１４９７１９号公報
【特許文献３】実開昭４７−３６８１４号公報
【特許文献４】特開平８−３２５８２４号公報
【特許文献５】実開昭５１−１３５７２６号公報
【特許文献６】実公昭５４−３５７８４号公報
【特許文献７】実用新案登録第３０７２９７８号公報
【特許文献８】実公昭４２−２２５２０号公報
【特許文献９】実公昭４６−６５９２号公報
【特許文献１０】特開２００４−８４１４５号公報
【特許文献１１】特開２００７−１６２１７９号公報
【特許文献１２】特開２００８−２５５５４８号公報
【発明の概要】
【発明が解決しようとする課題】
【０００４】
しかし、既に提案されている第１のタイプから第３のタイプの構成では、折り畳んだ状態でヘルメットとしての湾曲形状が残存しているために収納しにくく、または、湾曲形状が残らないほど分割しているものは保護機能が十分でないという問題がある。
また、第４のタイプでは、頭頂部に分割線が位置するため、十分な耐衝撃性能を得るためには、分割箇所の構造に工夫を要する。
【０００５】
本発明は、生活空間の中で身近な場所に頭部保護用プロテクタを常備でき、耐衝撃機能の高い頭部保護用プロテクタを提供することを目的とする。
【課題を解決するための手段】
【０００６】
請求項１記載の本発明の頭部保護用プロテクタは、落下物から頭部を保護するシェルと、前記シェルを保持するとともに前記頭部に装着する基台と、前記基台に取り付ける顎紐とを備え、前記基台の幅寸法よりも前記シェルの幅寸法が大きく、前記シェルの両側端を前記基台の両側端に取り付けることで、前記シェルをアーチ状とすることを特徴とする。
請求項２記載の本発明は、請求項１に記載の頭部保護用プロテクタにおいて、前記シェルの前端のアーチ曲率を、前記シェルの後端のアーチ曲率より小さくしたことを特徴とする。
請求項３記載の本発明は、請求項１又は請求項２に記載の頭部保護用プロテクタにおいて、前記シェルの一方の前記側端を前記基台の一方の前記側端に回動可能に軸支し、前記シェルの他方の前記側端を前記基台の他方の前記側端に着脱可能に係止することを特徴とする。
請求項４記載の本発明は、請求項１から請求項３のいずれかに記載の頭部保護用プロテクタにおいて、前記基台には頭部用開口部を形成し、前記頭部用開口部に内周側立ち上げリブを形成し、前記基台の周囲に外周側立ち上げリブを形成したことを特徴とする。
請求項５記載の本発明は、請求項１から請求項４のいずれかに記載の頭部保護用プロテクタにおいて、前記基台には複数の顎紐用開口部を形成し、前記顎紐用開口部によって前記顎紐を取り付けたことを特徴とする。
請求項６記載の本発明は、請求項５に記載の頭部保護用プロテクタにおいて、前記顎紐用開口部を、前記基台の前方両側に形成した第１顎紐用開口部及び第２顎紐用開口部と、前記基台の後方中央に形成した第３の顎紐用開口部とで構成したことを特徴とする。
請求項７記載の本発明は、請求項１から請求項６のいずれかに記載の頭部保護用プロテクタにおいて、前記基台には複数のハンモック用開口部を形成し、前記ハンモック用開口部にハンモックを取り付けることで前記頭部用開口部に前記ハンモックを配置することを特徴とする。
請求項８記載の本発明は、請求項１から請求項７のいずれかに記載の頭部保護用プロテクタにおいて、前記基台の下面に設ける弾性材と、前記基台から垂れ下がる垂れ布とを備え、前記垂れ布は前記基台の上面を覆う基台上面覆い面を有し、前記弾性材と前記基台上面覆い面とを袋状に構成し、袋状とした前記弾性材と前記基台上面覆い面との間に前記基台を配置することを特徴とする。
【発明の効果】
【０００７】
本発明によれば、生活空間の中で身近な場所に頭部保護用プロテクタを常備でき、装着時には基台の上部にアーチ状にシェルを配置することで、シェルと基台との間に空間が形成され、落下物をシェルで受けた場合に、基台に対する衝撃を少なくでき、頭部を落下物から保護することができる。
【図面の簡単な説明】
【０００８】
【図１】本発明の一実施例による頭部保護用プロテクタを前方斜めから見た外観斜視図
【図２】同頭部保護用プロテクタのシェル及び基台を後方から見た斜視図
【図３】同頭部保護用プロテクタの分解斜視図
【図４】同頭部保護用プロテクタのシェルの他方の他端を基台から取り外した状態を示す斜視図
【発明を実施するための形態】
【０００９】
本発明の第１の実施の形態による頭部保護用プロテクタは、落下物から頭部を保護するシェルと、シェルを保持するとともに頭部に装着する基台と、基台に取り付ける顎紐とを備え、基台の幅寸法よりもシェルの幅寸法が大きく、シェルの両側端を基台の両側端に取り付けることで、シェルをアーチ状とするものである。本実施の形態によれば、基台の上部にアーチ状にシェルを配置することで、シェルと基台との間に空間が形成され、落下物をシェルで受けた場合に、基台に対する衝撃を少なくでき、頭部を落下物から保護することができる。
【００１０】
本発明の第２の実施の形態は、第１の実施の形態による頭部保護用プロテクタにおいて、シェルの前端のアーチ曲率を、シェルの後端のアーチ曲率より小さくしたものである。本実施の形態によれば、曲率の小さな前端側のシェルの強度が高まることで耐衝撃性能が高まり、一方、後端側のシェルは柔軟性を有することで変形によって受け流すことができるため耐貫通性能が高まる。
【００１１】
本発明の第３の実施の形態は、第１又は第２の実施の形態による頭部保護用プロテクタにおいて、シェルの一方の側端を基台の一方の側端に回動可能に軸支し、シェルの他方の側端を基台の他方の側端に着脱可能に係止するものである。本実施の形態によれば、使用時にはシェルをアーチ状として装着することができ、収納時にはシェルを平板状とすることができるため、嵩張ることなく収納できる。
【００１２】
本発明の第４の実施の形態は、第１から第３の実施の形態による頭部保護用プロテクタにおいて、基台には頭部用開口部を形成し、頭部用開口部に内周側立ち上げリブを形成し、基台の周囲に外周側立ち上げリブを形成したものである。本実施の形態によれば、頭部を頭部用開口部に臨ませることで基台の安定性を高めることができ、内周側立ち上げリブと外周側立ち上げリブとによって、基台の強度を高めて変形を防止することで、シェルでの耐衝撃性を高めることができる。
【００１３】
本発明の第５の実施の形態は、第１から第４の実施の形態による頭部保護用プロテクタにおいて、基台には複数の顎紐用開口部を形成し、顎紐用開口部によって顎紐を取り付けたものである。本実施の形態によれば、樹脂による一体成形ができ、部品点数を削減できる。
【００１４】
本発明の第６の実施の形態は、第５の実施の形態による頭部保護用プロテクタにおいて、顎紐用開口部を、基台の前方両側に形成した第１顎紐用開口部及び第２顎紐用開口部と、基台の後方中央に形成した第３の顎紐用開口部とで構成したものである。本実施の形態によれば、３つの顎紐用開口部とすることで、組み立て性を高めることができる。
【００１５】
本発明の第７の実施の形態は、第１から第６の実施の形態による頭部保護用プロテクタにおいて、基台には複数のハンモック用開口部を形成し、ハンモック用開口部にハンモックを取り付けることで頭部用開口部にハンモックを配置するものである。本実施の形態によれば、ハンモックを取り付けることで基台から頭部への衝撃を低下できる。
【００１６】
本発明の第８の実施の形態は、第１から第７の実施の形態による頭部保護用プロテクタにおいて、基台の下面に設ける弾性材と、基台から垂れ下がる垂れ布とを備え、垂れ布は基台の上面を覆う基台上面覆い面を有し、弾性材と基台上面覆い面とを袋状に構成し、袋状とした弾性材と基台上面覆い面との間に基台を配置するものである。本実施の形態によれば、組み立てが容易となり製作のコストダウンを図ることができる。
【実施例】
【００１７】
以下本発明の実施例について図面とともに詳細に説明する。
図１は本発明の一実施例による頭部保護用プロテクタを前方斜めから見た外観斜視図、図２は同頭部保護用プロテクタのシェル及び基台を後方から見た斜視図、図３は同頭部保護用プロテクタの分解斜視図、図４は同頭部保護用プロテクタのシェルの他方の他端を基台から取り外した状態を示す斜視図である。
【００１８】
図１に示すように、頭部保護用プロテクタは、落下物から頭部を保護するシェル１０と、シェル１０を保持するとともに頭部に装着する基台２０と、基台２０に取り付ける顎紐３０と、基台２０から垂れ下げて防火性を有する垂れ布４０とを備えている。
シェル１０は、金属やプラスチック材などの硬質材の板で形成され、可撓性を有してアーチ状に曲げることができる。
【００１９】
図２に示すように、シェル１０の両側端１１、１２を基台２０の両側端２１、２２に取り付けることで、使用時にはシェル１０はアーチ状を形成する。シェル１０の前端１３のアーチ曲率は、シェル１０の後端１４のアーチ曲率より小さくしている。前端１３と後端１４との曲率を異ならせることで、曲率の小さな前端１３側のシェル１０の強度が高まり、耐衝撃性能が高まる。一方、後端１４側のシェル１０は柔軟性を有することで変形によって受け流すことができるため耐貫通性能が高まる。
【００２０】
図３に示すように、シェル１０はアーチ状を形成するために、基台２０の幅寸法Ｌ２３、Ｌ２４よりもシェル１０の幅寸法Ｌ１３、Ｌ１４を大きくしている。すなわち、基台２０の前端２３の幅寸法Ｌ２３よりもシェル１０の前端１３の幅寸法Ｌ１３が大きく、基台２０の後端２４の幅寸法Ｌ２４よりもシェル１０の後端１４の幅寸法Ｌ１４が大きい。また、基台２０の前端２３の幅寸法Ｌ２３よりも基台２０の後端２４の幅寸法Ｌ２４を大きくし、シェル１０の前端１３の幅寸法Ｌ１３よりもシェル１０の後端１４の幅寸法Ｌ１４を大きくすることで、シェル１０の前端１３のアーチ曲率は、シェル１０の後端１４のアーチ曲率より小さくしている。
【００２１】
シェル１０の一方の側端１１は基台２０の一方の側端２１に回動可能に軸支している。シェル１０の他方の側端１２は基台２０の他方の側端２２に着脱可能に係止している。従って、使用時にはシェル１０をアーチ状とすることができ、収納時にはシェル１０を平板状とすることができる。
【００２２】
図３及び図４に示すように、基台２０には頭部用開口部２５を形成しており、頭部を頭部用開口部２５に臨ませることで基台２０の装着時の安定性を高めている。
頭部用開口部２５には、内周側立ち上げリブ２６を形成している。また、基台２０の周囲、すなわち一方の側端２１、他方の側端２２、前端２３、及び後端２４には、連続した外周側立ち上げリブ２７を形成している。内周側立ち上げリブ２６と外周側立ち上げリブ２７とによって、基台２０の強度を高めて変形を防止している。
【００２３】
基台２０には、複数の顎紐用開口部５１、５２、５３を形成している。第１顎紐用開口部５１は基台２０の前方一側方に形成し、第２顎紐用開口部５２は基台２０の前方他側方に形成し、第３の顎紐用開口部５３は基台２０の後方中央に形成している。
顎紐３０は、２本の帯材３１、３２で構成している。第１の帯材３１は、一端に第１係止部材３３を、他端に第２係止部材３４を、中間位置に第３の係止部材３５を設けている。
第２の帯材３２は、一端に第１ループ部３６を、他端に第２ループ部３７を形成し、中間位置に移動部材３８を設けている。第１ループ部３６には、第１係止部材３３と第３の係止部材３５との間の第１の帯材３１を挿通し、第２ループ部３７には、第２係止部材３４と第３の係止部材３５との間の第１の帯材３１を挿通している。
【００２４】
第１係止部材３３は第１顎紐用開口部５１に、第２係止部材３４は第２顎紐用開口部５２に、第３係止部材３５は第３顎紐用開口部５３に取り付けられる。このように、顎紐用開口部５１、５２、５３によって顎紐３０を取り付けることで、取り付け用の別部材を基台２０に設けることなく、基台２０の樹脂による一体成形によって顎紐用開口部５１、５２、５３を形成でき、部品点数を削減できる。また、３つの顎紐用開口部５１、５２、５３とすることで、組み立て性を高めることができる。
【００２５】
基台２０には、複数のハンモック用開口部６１、６２、６３，６４を形成している。本実施例では４つのハンモック用開口部６１、６２、６３，６４を形成している。第１ハンモック用開口部６１と第３ハンモック用開口部６３とは対向する位置に配置し、第２ハンモック用開口部６２と第４ハンモック用開口部６４とは対向する位置に配置している。
【００２６】
ハンモック７０は、２本の二重帯材７１、７２と、パット７３とからなる。第１二重帯材７１の一端７１ａは第１ハンモック開口部６１に挿通し、第１二重帯材７１の他端７１ｂは第３ハンモック開口部６３に挿通する。また、第２二重帯材７２の一端７２ａは第２ハンモック開口部６２に挿通し、第２二重帯材７２の他端７２ｂは第４ハンモック開口部６４に挿通する。第１二重帯材７１の一端７１ａと他端７１ｂ、及び第２二重帯材７２の一端７２ａと他端７２ｂとに紐７４を通して紐７４の両端を結ぶことでハンモック７０の基台２０への取り付けが完了する。
頭部保護用プロテクタの装着時には、ハンモック７０のパット７３が頭部頭頂部に当接する。このように、頭部用開口部２５にハンモック７０を配置することで、基台２０から頭部への衝撃を低下できる。
【００２７】
垂れ布４０は、基台上面覆い面４１と、側部垂れ部４２と後部垂れ部４３とから構成されている。装着時には、基台上面覆い面４１は基台２０の上面を覆い、一対の側部垂れ部４２と後部垂れ部４３とは、基台２０から垂れ下がる。
基台上面覆い面４１には、例えば多数の小孔を設けることが好ましい。このように、基台上面覆い面４１に多数の小孔を設けることで、通気性を高めることができる。特に本実施例のようにシェル１０をアーチ状とし、シェル１０と基台２０との間には外気が流れやすいため、基台上面覆い面４１の小孔から上昇した熱を放出しやすい。
基台２０の下面には、弾性材８０を設けることが好ましい。この弾性材８０は頭部用開口部２５よりも小径の開口部８１を形成している。図では弾性材８０を垂れ布４０と分離した状態を示しているが、弾性材８０の外周と垂れ布４０の外周を縫合し、弾性材８０と基台上面覆い面４１とを袋状に構成し、この袋状とした弾性材８０と基台上面覆い面４１との間に基台２０を配置することが好ましい。このように、袋状とした弾性材８０と基台上面覆い面４１との間に基台２０を配置することで組み立てが容易となり製作のコストダウンを図ることができる。
【００２８】
以上のように、落下物から頭部を保護するシェル１０と、シェル１０を保持するとともに頭部に装着する基台２０と、基台２０に取り付ける顎紐３０とを備え、基台２０の幅寸法Ｌ２３、Ｌ２４よりもシェル１０の幅寸法Ｌ１３、Ｌ１４が大きく、シェル１０の両側端１１、１２を基台２０の両側端２１、２２に取り付けることで、シェル１０をアーチ状とする。従って、シェル１０と基台２０との間に空間が形成され、落下物をシェル１０で受けた場合に、基台２０に対する衝撃を少なくでき、頭部を落下物から保護することができる。
【産業上の利用可能性】
【００２９】
本発明の頭部保護用プロテクタは、外出先にて災害が発生して帰宅困難となった被災者が、帰宅又は避難所までに最低限必要な装備として頭部を保護する頭部保護用プロテクタとして適している。
【符号の説明】
【００３０】
１０  シェル
１１  両側端
１２  両側端
１３  前端
１４  後端
２０  基台
２１  一方の側端
２２  他方の側端
２３  前端
２４  後端
２５  頭部用開口部
２６  内周側立ち上げリブ
２７  外周側立ち上げリブ
３０  顎紐
４０  垂れ布
４１  基台上面覆い面
５１  第１顎紐用開口部
５２  第２顎紐用開口部
５３  第３顎紐用開口部
６１  ハンモック用開口部
６２  ハンモック用開口部
６３  ハンモック用開口部
６４  ハンモック用開口部
７０  ハンモック
８０  弾性材
Ｌ１３  幅寸法
Ｌ１４  幅寸法
Ｌ２３  幅寸法
Ｌ２４  幅寸法
【図１】
2014163019.tif 000003
【図２】
2014163019.tif 000004
【図３】
2014163019.tif 000005
【図４】
2014163019.tif 000006